(57)【特許請求の範囲】
【請求項１】
接続されている複数のＡＶ機器の中から所望のＡＶ機器を選択することができるテレビジョン受像機であって、
前記接続されているＡＶ機器に対応するアイコンを画面に表示し、該アイコンを選択するためのカーソルを前記画面に表示されているアイコン上に移動させると、該アイコンに対応するＡＶ機器から出力される映像信号を子画面として表示し、
前記カーソルを再度同じアイコン上に移動させると、前記子画面の表示をオフすること
を特徴とするテレビジョン受像機。
【請求項２】
前記カーソルを別のアイコン上に移動させると、前記子画面を前記別のアイコンに対応するＡＶ機器から出力される映像信号に切り替えて表示すること
を特徴とする請求項１にテレビジョン受像機。
【請求項３】
前記アイコンに対応するＡＶ機器から出力される映像信号がない場合、無信号であることを示す子画面を表示すること
を特徴とする請求項１に記載のテレビジョン受像機。
【発明の詳細な説明】
【０００１】
【発明の属する技術分野】
本発明は、テレビジョン受像機に関するものであり、より詳しくは、双方向シリアル通信が可能なＩＥＥＥ１３９４規格に準拠したディジタルインターフェイスなどを用いて、テレビジョン受像機に複数のＡＶ機器、例えば、複数のディジタルＶＣＲを接続し、各ディジタルＶＣＲの映像をテレビジョン受像機の画面上で簡単に確認できるようにしたテレビジョン受像機に関するものである。
【０００２】
【従来の技術】
従来技術におけるテレビジョン受像機等の映像表示装置に、ＡＶ機器、例えば、ビデオテープレコーダなどを接続し、各ＡＶ機器の映像を選択してテレビジョン受像機の画面上で観賞する際には、主にテレビジョン受像機に付属しているリモコン上の入力切り替えのボタンを押す毎に「ビデオ１」、「ビデオ２」というようにテレビジョン受像機の画面上に表示される映像が切り替わり、映像を楽しむことができる。
【０００３】
また、切り替わった後一定時間はＯＳＤ（Ｏｎ  Ｓｃｒｅｅｎ  Ｄｉｓｐｌａｙ）表示で今の映像がテレビジョン受像機上のどの入力端子からのものであるかを表示し、確認できるようになっている。
【０００４】
更に、テレビジョン受像機がＰｉｎＰ（Ｐｉｃｔｕｒｅ  ｉｎ  Ｐｉｃｔｕｒｅ）で実現しているように子画面の機能を持っている場合、親画面の映像を見ながら子画面の映像入力をリモコンで切り替えることにより、どの映像機器から発信された映像であるかを確認できるようになっている。
【０００５】
また、テレビジョン受像機の画面サイズが例えば１６：９のワイド画面の場合には、画面を半分に分割して２つの映像をそれぞれ表示する方法も実現されている。
【０００６】
現状において、各ＡＶ機器からくる信号線はコンポジットのビデオ信号、Ｓ端子信号、オーディオステレオ端子などアナログ信号が主流となっている。
【０００７】
これらは、テレビジョン受像機のビデオ入力端子とビデオ出力端子とを物理的に接続してある、所謂現状の接続状態をユーザーが認識していることにより、リモコンによる映像の切り替えで「第１のビデオテープレコーダはこのビデオ出力」と云う認識をしながら画面に写し出される映像をみている。
【０００８】
【発明が解決しようとする課題】
しかしながら、上記のように従来のテレビジョン受像機では、全てのＡＶ機器の信号はテレビジョン受像機に直接接続されているか、或いはＡＶスイッチャーを介してテレビジョン受像機に接続されなければならない。これは、映像の伝達方法がアナログ信号であるため、物理的な信号そのものを受像器に直接接続しなければならないといった制限により生じている。
【０００９】
ここで、ＡＶ機器の数が多くなってくると、一体テレビジョン受像機のどの入力端子にどのＡＶ機器がつながっているのか認識するのが困難になってくるため、リモコンによる「ビデオ１」、「ビデオ２」等の信号を切り替え操作では、どの信号がどのソースに対応しているか把握できず、さらにこれにＡＶスイッチャーが入ると更に複雑になってくると云う問題点がある。
【００１０】
従って、複数のＡＶ機器を接続したテレビジョン受像機において、所望のＡＶ機器から出力される映像をテレビジョン受像機上で簡単に確認することができるようにすることに解決しなければならない課題を有している。
【００１１】
【課題を解決するための手段】
上記課題を解決するため、本発明に係るテレビジョン受像機は、接続されている複数のＡＶ機器の中から所望のＡＶ機器を選択することができるテレビジョン受像機であって、
前記接続されているＡＶ機器に対応するアイコンを画面に表示し、該アイコンを選択するためのカーソルを前記画面に表示されているアイコン上に移動させると、該アイコンに対応するＡＶ機器から出力される映像信号を子画面として表示し、前記カーソルを再度同じアイコン上に移動させると、前記子画面の表示をオフする構成とする。
【００１２】
このような構成としたことにより、テレビジョン受像機の画面に表示されているアイコン上にカーソルを移動するだけで、アイコンに対応したＡＶ機器から出力される映像を子画面として表示させたり、表示している子画面をオフさせることができる。
【００１３】
【発明の実施の形態】
本発明に係るテレビジョン受像機の望ましい実施の形態は、図１に示すように、多種多数のＡＶ機器を、ＩＥＥＥ１３９４規格に準拠したディジタルインターフェイス（以下、１３９４ＩＦと云う）を介して接続した構成となっている。
【００１４】
ここで１３９４ＩＦについて説明しておく。
１３９４ＩＦは、複数のＡＶ機器をデイジーチェン接続で接続することが可能な所謂シリアルバスであって、各ＡＶ機器は１３９４ＩＦにおいてノードを形成している。各ノードからは、ブランチを出すこともできる。各ＡＶ機器の接続は、ループを形成しない限り任意である。
【００１５】
即ち、図１においては、テレビジョン受像機ＴＶから二つのブランチが出ており、その一つはディジタルカメラＤＣＡＭと接続され、もう一つのブランチには、ディジタルＶＣＲ−Ａと、ディジタルＶＣＲ−Ｂと、ディジタルＶＣＲ−Ｃと、ディジタルビデオディスクＤＶＤと、ゲーム機Ｇと、電話機ＴＥＬと、ファックスＦＡＸと、音楽ディスク交換機ＭＤＣと、ディジタルオーディオテープレコーダＤＡＴと、コンパクトディスク交換機ＣＤＣと、プリンタＰと、赤外線装置ＩＲＵとがデイジーチェンにＰ１３９４ケーブルで接続されている。
【００１６】
このような機能を有する１３９４ＩＦは、６芯のＰ１３９４ケーブルと、ケーブルの両端に接続された同一のコネクタと、各コネクタに接続されたＬＳＩ化された物理層と、物理層と接続されたＬＳＩ化されたリンク層と、リンク層と接続されたトランザクション層とからなる。トランザクション層はファームウェアからなる。
【００１７】
Ｐ１３９４ケーブルは、２対のシールド線と２本の電源線からなる。その内の２対はデータ線とストローブ線とであってデータ転送に使用され、他の電源線として使用される。従って、電源が落ちている機器でも、信号をバイパスさせることができるから、電源が落ちている機器より先の機器に信号を送ることができるようになっている。
【００１８】
コネクタにはトランシーバを内蔵しており、このトランシーバとＰ１３９４ケーブルとでリピータを形成している。
物理層の一端は、Ｐ１３９４ケーブルと接続され、他端はリンク層と接続されている。物理層は、Ｐ１３９４ケーブルから入力した電気信号を符号化してリンク層へ送ると共に、リンク層から受け取ったコードデータを電気信号に復号化してＰ１３９４ケーブルへ送出する。物理層はまた、後述のバスアービトレーション等を行う。
【００１９】
リンク層は、物理層で符号化されたデータに基づきパケットを作成しトランザクション層へ送信すると共にトランザクション層から受け取ったパケットを解読する。また、リンク層は、パケットの転送サイクルの制御を行う。
【００２０】
上記のように構成された１３９４ＩＦは、下記の特徴を有する。
（１）ＡＶ機器間の接続はシリアルであるから、全ＡＶ機器は、上記従来のテレビジョン受像機ＴＶに設けたＡＶスイッチャーのような切り換え接続部を必要としないで他のＡＶ機器と通信することができる。
（２）ＡＶシステム内のＡＶ機器は固定化されておらず、コネクタを挿抜することによりＡＶシステム内の任意の位置に自由に装着または離脱することができる。この時、各ＡＶ機器のＩＤは自動的に再設定される。
【００２１】
（３）特定のＡＶ機器がシリアルバスを独占しないようにするためのバスアービトレーション（調停）機能を持っている。これは、データをパケット単位で転送するもので、パケット長は最大５１２バイト（１００Ｍビット／秒の転送速度の場合は約４０μ秒に相当する）に制限している。各ＡＶ機器は、指定されているノード番号の順に、夫々の割り当て時間だけパケット送信を行う。
【００２２】
（４）パケットは、常に一定の時間間隔で、リンク層から送出されその転送が終了するまでは他のパケットの転送はできないようになっている。各ＡＶ機器はパケットを受け取ったら自分に必要なデータであるかどうかを判断し、その判断結果に基づき処理し、又は無視する。
【００２３】
（５）パケットには普通のパケットと、優先度が高い緊急パケットと、更に優先度が高い後述のアイソクロナスパケットとがある。
（６）Ｐ１３９４ケーブルは細く、コネクタは小型であるからＰ１３９４ケーブルの引き回しやコネクタの着脱が容易である。また、コストが安い。
【００２４】
（７）信号の転送速度が従来のシリアル転送に比して速い。これは、信号を１対のデータ線と１対のストローブ線とを用いてシリアル転送（１ビットずつの転送）で送り、「データ線又はストローブ線のどちらかの電位が変化した時に、データ線のデータを読み取る」という規則に従うＤＳリンク方式により読み取るからである。このＤＳリンク方式は、データ線の電位の時間的な揺れに対応するものである。これにより、従来のシリアル転送（例えばＲＳ２３２Ｃ）のようなスタートビットとストップビットを８ビット置きに挿入する必要がなくなり、転送速度が向上する。
【００２５】
次に、複数のＡＶ機器をＩＥＥＥ１３９４規格に準拠したディジタルインターフェイスで接続することが可能なテレビジョン受像機のコントロールセンタＣＣ側について説明する。
【００２６】
尚、本実施の形態においてはＩＥＥＥ１３９４規格を基準に説明しているがこれに限定されることなくこの規格に準拠した全てが含まれることは勿論のことである。
【００２７】
テレビジョン受像機は、図２に示すように、コントロールセンタＣＣを備え、Ｐ１３９４ケーブルを介して複数のＡＶ機器（例えばディジタルＶＣＲ）と接続可能な構成となっている。
【００２８】
コントロールセンタＣＣは、ＴＶ回路１と、制御回路１１と、Ｐ１３９４インターフェイス２３とから構成されている。
【００２９】
ＴＶ回路１は、通常のＴＶ回路と同様に、映像信号処理系と音声信号処理系とを有しており、映像信号処理系は、Ｐ１３９４インターフェイスから入力したディジタル映像信号をデコードする映像デコーダ２と、映像デコーダ２でデコードされた映像信号をアナログ信号に変換するＤ／Ａ変換器３と、Ｄ／Ａ変換器３で変換されたアナログ映像信号と後述するディスプレイコントローラからのメッセージ信号等とを重畳（スーパーインポーズ）するＧＵＩ（グラフィック・ユーザー・インターフェイス）を備えた画像多重化処理部４と、画像多重化処理部４で処理された画像データを表示用に再編成する表示処理部５と、表示処理部５の出力をブラウン管に表示する受像機６とからなる。
【００３０】
また、ＴＶ回路１の音声信号処理系は、Ｐ１３９４インターフェイス２３から入力するディジタル音声信号をデコードする音声デコーダ７と、音声デコーダ７でデコードされた音声信号をアナログ信号に変換するＤ／Ａ変換器８と、Ｄ／Ａ変換器８で変換されたアナログ音声信号を増幅する音声信号増幅器９と、音声信号増幅器９で増幅された音声信号を音に変換するスピーカ１０とからなる。
【００３１】
制御回路１１は、ＣＰＵ１２と、ＣＰＵ１２とＰ１３９４インターフェイス２３との間を接続するバス１３と、映像デコーダ２及び音声デコーダ７とバス１３との間に介在するＩ／Ｏ回路１４と、バス１３と画像多重化処理部４との間に介在するディスプレイコントローラ１５及びＶＲＡＭ１６と、バス１３に夫々接続された不揮発性ＲＡＭ１７と、Ｉ／Ｏ回路２４を介して接続されているタイマー１８と、ＲＯＭ１９と、リモコン信号及びバス１３上からのデータを受信してデコードするリモコン信号デコーダ２０と、このリモコン信号デコーダ２０にバス１３上のデータを送受信するＩ／Ｏ回路２１と、リモコン信号を送信する携帯自在なリモコン２２とから構成されている。
【００３２】
ＣＰＵ１２は後述するプログラムを実行する。バス１３は通常のＣＰＵバスである。Ｉ／Ｏ回路１４は、ＣＰＵ１２の制御の下で、映像デコーダ２及び音声デコーダ７の入／出力のタイミングを制御する。
【００３３】
ディスプレイコントローラ１５は、ＣＰＵ１２の制御の下でＶＲＡＭ１６上に受像機６の１画面分のメッセージデータ等を作成し、これを画像多重化処理部４へ送る。
【００３４】
不揮発性ＲＡＭ１７は、Ｐ１３９４インターフェイス２３に接続されているＡＶ機器構成の履歴についての情報を記憶している。タイマー１８はカウンタからなり、実時間を計数する。ＲＯＭ１９はプログラムを格納する読み出し専用メモリである。
【００３５】
Ｐ１３９４インターフェイス２３は、ＩＥＥＥ１３９４バス規格によりＬＳＩ化された回路と、この回路に接続されたコネクタソケットを有している。このコネクタソケットにはＰ１３９４ケーブルのプラグが差し込まれるようになっている。このＰ１３９４インターフェイス２３の機能は、接続されるＡＶ機器側にも搭載されている。
【００３６】
Ｐ１３９４ケーブルは６芯線からなるケーブルであり、コントロールセンタＣＣとディジタルＶＣＲであるビデオＡとの間、及びビデオＣと図示していないＡＶ機器との間、・・・をシリーズに順次接続している。Ｐ１３９４ケーブルは上述したようにループを作らないように順次接続されている。なお、図２においては、本発明の要旨を説明するために、複数の映像機器の内、３台のディジタルＶＣＲであるビデオＡ、ビデオＢ、ビデオＣとの接続状態を示してある。その内ビデオＣにはチューナーが備わっており、アンテナを接続できるようになっている。
【００３７】
このＰ１３９４インターフェイス２３には、既にＩＥＥＥ１３９４規格の特徴として述べたように、ソケットに接続されているＰ１３９４ケーブルに新たにＡＶ機器が接続され又は取り外されたことを検出し、その旨をＣＰＵ１２に知らせる機能を有している。
【００３８】
つまり、Ｐ１３９４インターフェイス２３は、新たにＡＶ機器が接続され又は取り外された時、その旨を示す信号（以下接続信号という）をＣＰＵ１２へ送る。
【００３９】
ＣＰＵ１２は、上記接続信号をトリガとして、ＡＶ機器構成の変化と表示と、新たに接続されたＡＶ機器の設定作業、例えばタイマー１８及び選局手段であるチューナーの自動設定及び表示と、取り外されたＡＶ機器の表示等を行う機能を有する。
【００４０】
このような構成からなるテレビジョン受像機側においては、Ｐ１３９４ケーブルを介して外部に接続されているディジタルＶＣＲ（例えばビデオＡ、ビデオＢ、ビデオＣ）からの複数の映像データと音声データがディジタル信号でパケット化されて送信されてくる。
【００４１】
ここで、映像データ並びに音声データのパケット化については前述したので省略する。映像データを取り込む映像デコーダ２ではパケット化された複数チャンネルの動画を同時にデコード可能な機能を有し、且つ親画面、子画面の映像データが生成される。
【００４２】
この映像デコーダ２は、Ｉ／Ｏ回路１４を介してＣＰＵ１２からコントロールされ、Ｐ１３９４インターフェイス２３のバス１３上のどの映像チャンネルかを選択してデコードするかを選択できる。又、どのチャンネルを親画面、若しくは子画面に表示するかどうかの選択と、子画面のサイズ、親画面上の子画面の表示位置をもコントロールする。
【００４３】
ここで同時にデコードできる映像の数は、親画面と子画面を表示するという意味で２つに限定するが、特に制限されるものではない。
【００４４】
又、音声デコーダ７では、特定の映像チャンネルに対応した音声がデコードされるものとし、親画面の音声がデコードされる機能を有する。これは、Ｐ１３９４インターフェイス２３から伝送されてくる映像と音声の特定のチャンネルを選択する機能を有するものである。
【００４５】
映像、音声のデータは、それぞれＤ／Ａ変換器３、８でアナログ信号に変換され、アナログ音声信号は音声信号増幅器９を介してスピーカ１０に出力され、アナログ映像信号は表示処理部５により受像機６の画面に出力される。
【００４６】
一方、前述したようにテレビジョン受像機の画面上に表示するＡＶ機器のアイコン表示などのグラフィックデータはＲＯＭ１９に蓄えられているものとし、このデータはバス１３を介してＶＲＡＭ１６に書き込まれる。書き込まれる際の表示位置であるＶＲＡＭアドレスはバス１３を介してＣＰＵ１２によりコントロールされる。ここでディスプレイコントローラ１５により、画像多重化処理部４によってスーパーインポーズ等の処理が行われることにより、映像データとグラフィックデータとを多重化して受像機６に表示される。
【００４７】
一方、リモコン２２による信号は、リモコン信号デコーダ２０により処理され、リモコン２２上のどのボタンが押されたのかどうかをＩ／Ｏ回路２１を介してリモコンコードとしてＣＰＵ１２により解析される。タイマー１８は一定時間の割り込み等を処理するために使用され、Ｉ／Ｏ回路２４を介してＣＰＵ１２によりコントロールされる。
【００４８】
このような構成からなるコントロールセンタＣＣを具備するテレビジョン受像機に、例えば、図３に示すように、少なくとも２台以上のＡＶ機器、例えばディジタルＶＣＲ（ビデオＡ、ビデオＢ、ビデオＣ）をＰ１３９４ケーブルを介して接続した場合には、テレビジョン受像機の画面上のアイコン等を操作して好みのディジタルＶＣＲの映像を表示させることができるのである。以下詳述する。
【００４９】
即ち、Ｐ１３９４ケーブルを介して複数の映像機器、ここではディジタルＶＣＲをそれぞれビデオＡ、ビデオＢ、ビデオＣと３台接続して、これらのディジタルＶＣＲから発信する映像をテレビジョン受像機に引き込む構成となっている。
【００５０】
テレビジョン受像機、ビデオＡ、ビデオＢ、ビデオＣ間は、ＳＣＳＩ等の接続方法と類似したデイジーチェンで接続されている。但し、ＳＣＳＩのようにケーブル両終端につけるターミネーターは不要であり、本実施例においては前記詳述したＩＥＥＥ１３９４規格に準拠した仕様となっている。
【００５１】
ディジタルＶＣＲの機能は、記録媒体である例えば磁気テープに記録されているディジタル映像データをパケット化し、Ｐ１３９４インターフェイス２３のバス１３上に送信する能力と、パケット化されて送られてきたバス１３上の映像データをデコードして記録媒体である磁気テープ上に記録する能力を持っている。
【００５２】
又、ディジタルＶＣＲに対しては、あるチャンネルが割り当てられているものとする。例えば、ビデオＡは「チャンネル１０」、ビデオＢは「チャンネル２０」というように割り当て、ビデオＣのみ電波等を受信するチューナーを装備しているものとする。そうすると、ビデオＣのチューナーにより選択された映像出力をディジタル映像データにエンコードしたり、ディジタル映像データのパケット化を行い、Ｐ１３９４インターフェイス２３のバス１３上に送信する。バス１３上のパケット化されたデータ、例えば、「チャンネル１０」の映像データは、ビデオＡが取り込めばビデオＣからの「チャンネル１０」の映像をあたかもビデオＡで発信したようにしてテレビジョン受像機に送ることができる。
【００５３】
このようにして、ビデオＡ、及びビデオＢにはチューナーの機能をもっていないのにかかわらず、チューナーの機能を持っているビデオＣからＰ１３９４インターフェイス２３を介して特定チャンネルの映像データを得ることができるのである。これはテレビジョン受像機の画面を視ている利用者は何等関与することなく、あたかも各ビデオＡ、ビデオＢにチューナー機能を備えているかのようにみえるのである。
【００５４】
一方、画面上における操作は、利用者がリモコンを用いてテレビジョン受像機の画面上のポインティングカーソルを移動させ、アイコンの上にカーソルが移動したらそのアイコンに対応した映像が子画面に表示されるようにして行われる。このような操作及び動作について、図５に示すフローチャートと図３及び図４を参照にして説明する。
【００５５】
テレビジョン受像機の画面上の表示は、図４（Ａ）のようになっており、ビデオＡからビデオＢへの映像のダビングを行っていると仮定する。ビデオＣからはチューナーから得られた映像が親画面２５に出力されている。ここで図５のフローチャートに従って説明する。
【００５６】
（１）リモコン２２からの信号をデコードし、カーソルボタンに対応したコードが現れるまで待つ（ステップＳＴ１、ＳＴ２）。ここで、一定間隔でコードチェックをするだけで、その間におけるＣＰＵ１２のアイドル時間は別の処理を行っている。
【００５７】
（２）リモコン２２のカーソルボタンに対応するコードが現れたら、以前のカーソルの仮想画面２６上のｘ、ｙ座標（図４（Ｂ）参照）と押されたボタンと対応させて移動後のｘ、ｙ座標を計算する（ステップＳＴ３、ＳＴ４）。
【００５８】
（３）移動後のｘ、ｙ座標を元にカーソル表示をＶＲＡＭ１６を介して行う。
（４）管面表示しているアイコン２７の仮想画面２６上の矩形領域（ｘ１、ｙ１）、（ｘ２、ｙ２）（図４（Ｂ）参照）にカーソル２８が入ったら、図４（Ｃ）に示すように、その領域に対応するアイコン２７のビデオＡ（またはビデオＢ、ビデオＣ）のチャンネルを選択して、このチャンネルのデコード処理を指令し、子画面２９に表示する。そうすると、例えば選択したビデオＡで選択されたチャンネル（実施例では「チャンネル１０」）の映像が子画面２９に表示される（ステップＳＴ５、ＳＴ６）。
【００５９】
（５）移動後のカーソル２８の座標がアイコン２７の矩形領域（ｘ１、ｙ１）、（ｘ２、ｙ２）に入ったが、以前の座標であるアイコン２７の矩形領域内であった場合、子画面２９をオフし、以前出していた映像のデコード処理を終了する（ステップＳＴ７、ＳＴ８）。
【００６０】
このようにして、画面上のアイコン２７とカーソル２８の挙動により子画面２９表示の切り替え、表示のオン／オフを行う。ここで、アイコン２７に対する映像の出力が存在しない場合、アイコン２７上にカーソル２８を移動しても子画面２９には何も表示されない。この際、無信号であることを示すために、ブルーバック等の映像を表示することも可能である。
【００６１】
又、親画面２５と子画面２９の切り替えを行う手段としては、子画面２９にカーソル２８がある際にリモコン上の決定ボタンのようなものを押すことにより、画面を切り替えることも可能である。
【００６２】
【発明の効果】
以上説明したように、本発明に係るテレビジョン受像機は、テレビジョン受像機にＰ１３９４ＩＦを介して接続されている複数のＡＶ機器を画面上にアイコンで表示し、リモコンを用いて画面上に表示されているアイコンの上にカーソルを移動するだけで、アイコンに対応するＡＶ機器から出力される映像を子画面として表示させたり、表示している子画面をオフさせることが簡単にできると云う効果がある。
【００６３】
又、操作対象のＡＶ機器をアイコンで置き換えて画面表示することにより、実際の機器との対応が視覚的に可能になる。
【００６４】
更に、ディジタルバスで接続された複数の映像機器に対応した映像選択の操作性の向上を実現することができると云う効果がある。
【図面の簡単な説明】
【図１】本発明に係るテレビジョン受像機と複数のＡＶ機器とのディジタルインターフェイスによる接続を示した説明図である。
【図２】同テレビジョン受像機側の回路構成を示すブロック図である。
【図３】同テレビジョン受像機と複数のディジタルＶＣＲとの接続を示した説明図である。
【図４】図３において、テレビジョン受像機の画面上に現れたディジタルＶＣＲに含まれている映像の状態を表した説明図である。
【図５】テレビジョン受像機の動作を示したフローチャートである。
【符号の説明】
１    ＴＶ回路
２    映像デコーダ
３    Ｄ／Ａ変換器
４    画像多重処理部
５    表示処理部
６    受像機
７    音声デコーダ
８    Ｄ／Ａ変換器
９    音声信号増幅器
１０    スピーカ
１１    制御回路
１２    ＣＰＵ
１３    バス
１４    Ｉ／Ｏ回路
１５    ディスプレイコントローラ
１６    ＶＲＡＭ
１７    ＲＡＭ
１８    タイマー
１９    ＲＯＭ
２０    リモコン信号デコーダ
２１    Ｉ／Ｏ回路
２２    リモコン
２３    Ｐ１３９４インターフェイス
２４    Ｉ／Ｏ回路
２５    親画面
２６    仮想画面
２７    アイコン
２８    カーソル
２９    子画面
ＶＣＲ−Ａ、ＶＣＲ−Ｂ、ＶＣＲ−Ｃ  ディジタルＶＣＲ
ＴＶ  テレビジョン受像機
ＶＴＲ  ビデオテープレコーダ
ＤＣＡＭ  ディジタルカメラ
ＤＶＤ  ディジタルビデオディスク
Ｇ  ゲーム機
ＴＥＬ  電話機
ＦＡＸ  ファックス
ＭＤＣ  音楽ディスク交換機
ＤＡＴ  ディジタルオーディオテープレコーダ
ＣＤＣ  コンパクトディスク交換機
Ｐ  プリンタ
ＩＲＵ  赤外線装置
【図１】
0003596568.tif 000002
【図２】
0003596568.tif 000003
【図３】
0003596568.tif 000004
【図４】
0003596568.tif 000005
【図５】
0003596568.tif 000006